【事件の表示】
　特願２００４−３６８０４８「光ディスク装置および光ディスクのチルト補正方法」拒絶査定不服審判事件〔平成１８年　７月　６日出願公開、特開２００６−１７９０３７〕について、次のとおり審決する。
【結　論】
　本件審判の請求は、成り立たない。
【理　由】
　
第１　手続の経緯  
　  
　本願は、平成１６年１２月２０日に出願したものであって、平成２１年３月１２日付けの拒絶理由通知に対して同年６月２３日付けで手続補正がなされたが、同年７月３１日付けで拒絶査定がなされ、これに対し、同年１１月２７日付けで拒絶査定不服審判が請求されるとともに、同日付けで手続補正がなされた。 
　その後、平成２２年１２月２１日付けで前置報告書（特許法第１６４条第３項）に基づく審尋がなされたが、回答書は提出されなかったものである。 
　  
　 
第２　平成２１年１１月２７日付けの手続補正についての補正却下の決定  
　  
［補正却下の決定の結論］  
　平成２１年１１月２７日付けの手続補正を却下する。  
　  
［理由］  
　 
１．本件補正  
　平成２１年１１月２７日付けの手続補正（以下「本件補正」という。）は、特許請求の範囲及び明細書についてするもので、そのうち、特許請求の範囲についてするものは、
　 
本件補正前に、 
「【請求項１】
　所定の回転数で回転する光ディスクの任意の位置において、チルト補正量を検出するチルト補正量検出手段と、
　該検出されたチルト補正量と、予め設定されたチルト補正量が略ゼロとなる前記光ディスクの回転数とに基づいて、回転数の変化によるチルト補正量の変化量を算出するチルト変化量算出手段と、
　前記光ディスクの回転数が前記所定の回転数であるときに、該検出されたチルト補正量に基づいて、チルト補正を行うともに、回転数が変化したときに、該算出されたチルト補正量の変化量に基づいて、チルト補正量を再補正するチルト補正手段と、
　を備え、
　前記チルト補正手段は、θ＝（Ｒ−Ｒｐ）＊θ1／（Ｒ1−Ｒｐ）（ここで、θ１は、前記所定回転数（Ｒ1）におけるチルト補正量、θは、実際の記録・再生におけるチルト補正量、Ｒｐは、実際の記録・再生にチルト補正量が略ゼロとなる回転数、Ｒはチルト補正量がθになる回転数。）によって再補正することを特徴とする光ディスク装置。
【請求項２】
　所定の回転数で回転する光ディスクの任意の位置において、チルト補正量を検出するチルト補正量検出手段と、
　前記光ディスクの回転数が前記所定の回転数であるときに、該検出されたチルト補正量に基づいてチルト補正を行うともに、回転数が変化したときに、予め設定された回転数の変化によるチルト補正量の変化量に基づいて、チルト補正量を再補正するチルト補正手段と、
　を備えたことを特徴とする光ディスク装置。
【請求項３】
　所定の回転数で回転する光ディスクの任意の位置において、チルト補正量を検出するとともに、該任意の位置のうちの１の位置において、前記光ディスクの回転数を変化させてチルト補正量を検出するチルト補正量検出手段と、
　該任意の位置のうちの１の位置において、前記光ディスクの回転数を変化させたときの２つのチルト補正量から直線近似により、該チルト補正量が略ゼロとなる回転数を算出する算出手段と、
　前記任意の位置における任意の回転数についてのチルト補正量と前記チルト補正量が略ゼロとなる回転数とに基づいて、回転数の変化によるチルト補正量の変化量を算出するチルト変化量算出手段と、
　前記光ディスクの回転数が前記所定の回転数であるときに、該検出されたチルト補正量に基づいて、チルト補正を行うともに、回転数が変化したときに、該算出されたチルト補正量の変化量に基づいて、チルト補正量を再補正するチルト補正手段と、
　を備え、
　前記チルト補正手段は、θ＝（Ｒ−Ｒｐ）＊θ1／（Ｒ1−Ｒｐ）（ここで、θ１は、前記所定回転数（Ｒ1）におけるチルト補正量、θは、実際の記録・再生におけるチルト補正量、Ｒｐは、実際の記録・再生にチルト補正量が略ゼロとなる回転数、Ｒはチルト補正量がθになる回転数。）によって再補正することを特徴とする光ディスク装置。
【請求項４】
　所定の回転数で回転する光ディスクの任意の位置において、チルト補正量を検出するステップと、
　該検出された前記光ディスクの前記任意の位置における前記任意の回転数でのチルト補正量と、予め設定されたチルト補正量が略ゼロとなる前記光ディスクの回転数とに基づいて、回転数の変化によるチルト補正量の変化量を算出するステップと、
　前記光ディスクの回転数が前記所定の回転数であるときに、該検出されたチルト補正量に基づいて、チルト補正を行うステップと、
　前記光ディスクの回転数が変化したときに、該算出されたチルト変化量に基づいて、チルト補正量を再補正するステップと、
　を備え、
　前記チルト補正量を再補正するステップは、θ＝（Ｒ−Ｒｐ）＊θ1／（Ｒ1−Ｒｐ）（ここで、θ１は、前記所定回転数（Ｒ1）におけるチルト補正量、θは、実際の記録・再生におけるチルト補正量、Ｒｐは、実際の記録・再生にチルト補正量が略ゼロとなる回転数、Ｒはチルト補正量がθになる回転数。）によって再補正することを特徴とする光ディスクのチルト補正方法。
【請求項５】
　所定の回転数で回転する光ディスクの任意の位置において、チルト補正量を検出するステップと、
　前記光ディスクの回転数が前記所定の回転数であるときに、該検出されたチルト補正量に基づいてチルト補正を行うステップと、
　回転数が変化したときに、予め設定された回転数の変化によるチルト補正量の変化量に基づいて、チルト補正量を再補正するステップと、
　を備えたことを特徴とする光ディスクのチルト補正方法。
【請求項６】
　所定の回転数で回転する光ディスクの任意の位置において、チルト補正量を検出するステップと、
　該任意の位置のうちの１の位置において、光ディスクの回転数を変化させてチルト補正量を検出するステップと、
　該任意の位置のうちの１の位置において、光ディスクの回転数を変化させたときの２つのチルト補正量から直線近似により、チルト補正量が略ゼロとなる回転数を算出するステップと、
　前記任意の位置において、任意の回転数におけるチルト補正量と前記チルト補正量が略ゼロとなる回転数とに基づいて、回転数の変化によるチルト補正量の変化量を算出するステップと、
　前記光ディスクの回転数が前記所定の回転数であるときに、該検出されたチルト補正量に基づいて、チルト補正を行うステップと、
　前記光ディスクの回転数が変化したときに、該算出されたチルト変化量に基づいて、チルト補正量を再補正するステップと、
　を備え、
　前記チルト補正量を再補正するステップは、θ＝（Ｒ−Ｒｐ）＊θ1／（Ｒ1−Ｒｐ）（ここで、θ１は、前記所定回転数（Ｒ1）におけるチルト補正量、θは、実際の記録・再生におけるチルト補正量、Ｒｐは、実際の記録・再生にチルト補正量が略ゼロとなる回転数、Ｒはチルト補正量がθになる回転数。）によって再補正することを特徴とする光ディスクのチルト補正方法。」
 とあったところを、 
　 
「【請求項１】
　所定の回転数で回転する光ディスクの任意の位置において、チルト補正量を検出するチルト補正量検出手段と、
　該検出されたチルト補正量と、予め設定されたチルト補正量が略ゼロとなる前記光ディスクの回転数とに基づいて、回転数の変化によるチルト補正量の変化量を算出するチルト変化量算出手段と、
　前記光ディスクの回転数が前記所定の回転数であるときに、該
チルト補正量検出手段によって
所定の位置における
と
前記チルト補正を行う位置において
チルト変化量算出手段によって
　を備え、
　前記チルト
変化量算出手段
【請求項２】
　所定の回転数で回転する光ディスクの任意の位置において、チルト補正量を検出するチルト補正量検出手段と、
　前記光ディスクの回転数が前記所定の回転数であるときに、該
チルト補正量検出手段によって
と
前記チルト補正を行う位置において
　を備えたことを特徴とする光ディスク装置。
【請求項３】
　所定の回転数で回転する光ディスクの任意の位置において、チルト補正量を検出するとともに、該任意の位置のうちの１の位置において、前記光ディスクの回転数を変化させてチルト補正量を検出するチルト補正量検出手段と、
　該任意の位置のうちの１の位置において、前記光ディスクの回転数を変化させたときの２つのチルト補正量から直線近似により、該チルト補正量が略ゼロとなる回転数を算出する算出手段と、
　前記任意の位置における任意の回転数についてのチルト補正量と前記チルト補正量が略ゼロとなる回転数とに基づいて、回転数の変化によるチルト補正量の変化量を算出するチルト変化量算出手段と、
　前記光ディスクの回転数が前記所定の回転数であるときに、該
チルト補正量検出手段によって
と
前記チルト補正を行う位置において
チルト変化量算出手段によって
　を備え
、
変化量算出手段
【請求項４】
　所定の回転数で回転する光ディスクの任意の位置において、チルト補正量を検出するステップと、
　該検出された前記光ディスクの前記任意の位置における前記任意の回転数でのチルト補正量と、予め設定されたチルト補正量が略ゼロとなる前記光ディスクの回転数とに基づいて、回転数の変化によるチルト補正量の変化量を算出するステップと、
　前記光ディスクの回転数が前記所定の回転数であるときに、
チルト補正量を検出するステップにおいて
　
前記チルト補正を行う位置において
回転数の変化によるチルト補正量の変化量を算出するステップにおいて
　を備え、
　前記チルト補正量を再補正するステップは、θ＝（Ｒ−Ｒｐ）＊θ1／（Ｒ1−Ｒｐ）（ここで、θ１は、前記所定回転数（Ｒ1）におけるチルト補正量、θは、実際の記録・再生におけるチルト補正量、Ｒｐは、実際の記録・再生にチルト補正量が略ゼロとなる回転数、Ｒはチルト補正量がθになる回転数。）によって再補正することを特徴とする光ディスクのチルト補正方法。
【請求項５】
　所定の回転数で回転する光ディスクの任意の位置において、チルト補正量を検出するステップと、
　前記光ディスクの回転数が前記所定の回転数であるときに、
チルト補正量を検出するステップにおいて
　
前記チルト補正を行う位置において
　を備えたことを特徴とする光ディスクのチルト補正方法。
【請求項６】
　所定の回転数で回転する光ディスクの任意の位置において、チルト補正量を検出するステップと、
　該任意の位置のうちの１の位置において、光ディスクの回転数を変化させてチルト補正量を検出するステップと、
　該任意の位置のうちの１の位置において、光ディスクの回転数を変化させたときの２つのチルト補正量から直線近似により、チルト補正量が略ゼロとなる回転数を算出するステップと、
　前記任意の位置において、任意の回転数におけるチルト補正量と前記チルト補正量が略ゼロとなる回転数とに基づいて、回転数の変化によるチルト補正量の変化量を算出するステップと、
　前記光ディスクの回転数が前記所定の回転数であるときに、
チルト補正量を検出するステップにおいて
　
前記チルト補正を行う位置において
回転数の変化によるチルト補正量の変化量を算出するステップにおいて
　を備え、
　前記チルト補正量を再補正するステップは、θ＝（Ｒ−Ｒｐ）＊θ1／（Ｒ1−Ｒｐ）（ここで、θ１は、前記所定回転数（Ｒ1）におけるチルト補正量、θは、実際の記録・再生におけるチルト補正量、Ｒｐは、実際の記録・再生にチルト補正量が略ゼロとなる回転数、Ｒはチルト補正量がθになる回転数。）によって再補正することを特徴とする光ディスクのチルト補正方法。」
とするものである。 
　 
　上記本件補正の請求項２についての補正は、補正前に「該検出されたチルト補正量に基づいて」とあったところを、「該チルト補正量検出手段によって検出されたチルト補正量に基づいて」と限定し、「チルト補正を行うともに、」とあったところを「チルト補正を行うとともに、」と誤記の訂正をし、「回転数が変化したときに、」とあったところを、「前記チルト補正を行う位置において回転数が変化したときに、」と限定するものであるから、平成１８年法律第５５号改正附則第３条第１項によりなお従前の例によるとされる同法による改正前の特許法第１７条の２第４項に掲げる事項を目的とするものに該当する。
  
　そこで、本件補正後の請求項２に係る発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に規定する要件を満たすか）否かについて、以下検討する。
　  
　本願補正発明は、次に記載するとおりのものである。  
　  
「所定の回転数で回転する光ディスクの任意の位置において、チルト補正量を検出するチルト補正量検出手段と、
　前記光ディスクの回転数が前記所定の回転数であるときに、該チルト補正量検出手段によって検出されたチルト補正量に基づいてチルト補正を行うとともに、前記チルト補正を行う位置において回転数が変化したときに、予め設定された回転数の変化によるチルト補正量の変化量に基づいて、チルト補正量を再補正するチルト補正手段と、
　を備えたことを特徴とする光ディスク装置。」 
　 
　 
２．引用例及びその記載  
　  
（１）引用例  
　  
　原査定の拒絶の理由に引用された、本願の出願の日前である平成１３年１２月２６日に頒布された刊行物である特開２００１−３５７５５４号公報（以下、「引用例」という）には、図面とともに以下の事項が記載されている（なお、下線は当審で付した。）。
　
　  
（ａ）「【発明の詳細な説明】
【０００１】
【発明の属する技術分野】
本発明は光ピックアップをディスクに対して垂直になるよう制御するチルトサーボ装置に関する。
【０００２】
【従来の技術】
光ディスクに記録されている情報を光ピックアップを用いて読出し、記録されている情報を再生する装置においては、光ピックアップを光ディスクに対して垂直な方向になるよう制御するチルトサーボ装置が使用されている。
　
（ｂ）「【００１４】
【発明の実施の形態】本発明の実施の形態を図１および図２を参照して説明する。図１は本発明の実施例の構成図、図２は同実施例のチルトセンサの具体例である。
【００１５】
図１において、１は図示しない光ピックアップに固定されたチルトセンサ、２はループフィルタ、３は増幅器、４は切替器、５は図示しない光ピックアップが光ディスクに対して垂直となるよう制御するチルト機構、６はチルト値を検出するチルト値検出部、７はＡ／Ｄ、８はループフィルタ、９は増幅器、１０はメモリ、１１は制御部である。
【００１６】
チルトセンサ１は、図２に示されるように、発光ダイオード２１、フォトダイオード２２および２３、増幅器２４および２５、減算回路２６で構成されている。フォトダイオード２２および２３は発光ダイオード２１を中にして対称な位置に配置され、発光ダイオード２１が発光する光が光ディスクで反射された反射光をそれぞれ受光する。
【００１７】したがって、図示しない光ピックアップが傾くと発光ダイオード２１およびフォトダイオード２２および２３も傾き、傾きがフォトダイオード２２方向に傾くとフォトダイオード２２よりの出力がフォトダイオード２３の出力より大になり、逆方向に傾けばフォトダイオード２３の出力が大となる。
【００１８】
フォトダイオード２２および２３の出力は増幅器２４および２５でそれぞれ増幅され、減算回路２６で差分が出力される。したがって減算回路２６より出力される信号電圧は、垂直方向の場合は０となり、フォトダイオード２２側に傾いている場合は傾きに応じた正の電圧が、またフォトダイオード２３側に傾いている場合は傾きに応じた負の電圧が出力される。
チルトセンサ１の減算回路２６の出力は、図１に示すように、ループフィルタ２、増幅器３、切替器４を介してチルト機構５に入力させ、チルト制御が行われる。
【００２０】つぎに、図３〜図５を参照して本発明の第１の実施例の動作を説明する。
ステップＳ１では、制御部１１は、ディスクの回転数を指定するｉ＝０をセットする。ステップＳ２では、制御部１１は、ディスクの回転数をＮi ＝Ｎ0 に設定して回転を開始させる。
【００２１】なお回転数Ｎ0 は通常動作時の回転数でＮi のｉが大なるに従って回転数は所定数低下する。ステップＳ３では、制御部１１は、図示しない再生装置に対して光ピックアップを光ディスクの最内（外）周に位置づけるよう指示する。
【００２２】ステップＳ４では、制御部１１は、切替器４に対して増幅器３の出力をチルト機構５に接続するよう指令する。ステップＳ５では、制御部１１は、チルト機構５に対してチルト制御動作を開始するよう指令する。
【００２３】ステップＳ６では、制御部１１は、Ａ／Ｄ７の出力値を監視し、チルトセンサ１の出力が目標となる誤差範囲以内におさまるまで待機する。ステップＳ７では、制御部１１は、チルト機構５に対して動作停止を指令する。したがって、以後チルト機構５に入力される信号値が変化してもチルト制御動作は行われない。
【００２４】ステップＳ８では、
制御部１１は、図示しない再生装置に対して光ピックアップをΔＲ外（内）周方向に移動させる指令を送出する。ステップＳ９では、制御部１１は、ΔＲ光ピックアップが移動した後でのチルトセンサ１の出力値をＡ／Ｄ７を介して読取り、メモリ１０に記録する。なおメモリ１０への記録は回転数Ｎi に対応して記録する。
【００２５】
ステップＳ１０では、制御部１１は、光ピックアップが最外（内）周位置に達するまでステップＳ８およびＳ９を実行し、最外（内）周位置に達したときステップＳ１１に移る。なお光ピックアップを移動させるΔＲなる値は、光ピックアップのアドレスおよびアドレス間隔と対応させて予め決められる。
【００２６】
ステップＳ１１では、制御部１１は、次の回転数を指定するためにｉ＝ｉ＋１をセットし、ステップＳ１２に移ってｉがｉmax であるか否かを判定し、判定がＮＯならばステップＳ２に移ってステップＳ２〜Ｓ１２を繰返す。
【００２７】ステップＳ１５では、再生動作を開始させ、ステップＳ１６に移って回転数Ｎi で再生可能であるか否かを判定する。ステップＳ１６で再生不可の場合はステップＳ１７に移り、低い回転数を指定するためにｉ＝ｉ＋１をセットし、ステップＳ１４に移り、ステップＳ１４〜Ｓ１７が繰返される。
【００２８】ステップＳ１６で再生可能な場合はステップＳ１８に移り、ステップＳ１８ではステップＳ１６で再生可能と判定された回転数ＮX に設定する。ステップＳ１９では、制御部１１は、図示しない再生装置よりシーク指令が転送されたか否かを判定し、判定がＮＯの場合はステップＳ２０に移って切替器４を増幅器３と接続するよう指令して待機する。　
【００２９】この状態において通常の再生動作が行われる。
シーク指令が転送されるとステップＳ２１に移り、制御部１１は、シーク指令と共に転送されたシーク先位置に対応するチルトセンサ１の出力値をメモリ１０より読出し、ステップＳ２２に移ってチルト値を算出する。なお出力値の読出しは現在回転している回転数ＤX に対するチルト値を読出す。
【００３０】
チルトセンサ１の出力値に対するチルト値（光ピックアップの垂直方向よりの傾き角）は予め実験等によって換算係数が求められており、制御部１１はこの換算係数をチルトセンサ１の出力値に乗算してチルト値を算出する。
【００３１】ステップＳ２３では、制御部１１は、切替器４に指令して増幅器９の出力をチルト機構５に接続するよう指令し、ステップＳ２４に移ってループフィルタ８に制御電圧を出力し、
ステップＳ２５に移ってチルト機構５の制御動作を開始させる。
【００３２】
ステップＳ２６では、制御部１１は、チルト値検出部６より出力される検出値がステップＳ２２で算出されたチルト値と等しくなったか否か判定し、
【００３３】
ステップＳ２６での判定がＹＥＳの場合はステップＳ２９に移って、制御部１１は、チルト機構５に動作停止を指令し、ステップＳ３０に移って図示しない再生装置よりシーク終了信号が転送するまで待機する。
【００３４】
ステップＳ３０でシーク終了信号が転送されるとステップＳ３１に移り、制御部１１は、切替器４に指令して増幅器３の出力をチルト機構５に接続し、ステップＳ３２に移って、チルト機構５に指令してチルト機構の動作を開始し、ステップＳ１９にもどり、シーク先でのデータの再生が行われる。
【００３５】以上説明したように、ステップＳ３０での光ピックアップがシーク完了前に光ピックアップのシーク先のチルト値になるよう制御しているので、シークが完了すると直ちに再生動作を行うことができる。」　
　 
（ｃ）「【００４０】また、
実施例ではステップＳ１７で全ての回転数に対してチルトセンサ出力値をメモリ１０に記録させていたが、例えばステップＳ１１でｉ＝ｉ＋４とメモリ１０に記録させ、ステップＳ２１での回転数Ｎi に対するシーク先のチルトセンサ出力値がメモリ１０に記録されていない場合は、メモリ１０に記録されている回転数Ｎi の前後の回転数より内挿して求めるようにしてもよい。このようにすることによってメモリ１０へのデータ記録時間が短くなり、情報再生までの時間を短縮することができる。
【００４１】つぎに、図６を参照して、本発明の第２の実施例の動作を説明する。
第１の実施例においては予め設定した複数の回転数の全てに対するチルトセンサ出力値をメモリ１０に記録させて、再生動作時には再生動作が可能な回転数を求め、求められた回転数でディスクを回転し、メモリ１０に記録されている動作回転数に対するチルトセンサ出力値を読出してチルト補正を行わせていた。
　
　
　上記引用例に記載された事項及び図面の記載を総合勘案すると、引用例１には、結局、次の発明が記載されている（以下、「引用発明」という。）。  
 「光ディスクに記録されている情報を光ピックアップを用いて読出し、記録されている情報を再生する装置において、光ピックアップが光ディスクに対して垂直となるよう制御するチルト機構を有し、
　光ピックアップに固定されたチルトセンサは、発光ダイオードを中にして対称な位置に配置され、発光ダイオードが発光する光が光ディスクで反射された反射光をそれぞれ受光する２つのフォトダイオードと、２つのフォトダイオードの出力の差分を出力して、光ピックアップが光ディスクに対して垂直な方向の場合は０となり、傾いている場合は傾きに応じた正負の電圧となる出力信号を出力する減算回路とを有し、減算回路からの出力をチルト機構に入力させて、チルト制御が行われるものであって、
　
ステップＳ１：制御部は、ディスクの回転数を指定するｉ＝０をセットする。
ステップＳ２：制御部は、ディスクの回転数をＮi ＝Ｎ0 に設定して回転を開始させる。
ステップＳ８：制御部は、再生装置に対して光ピックアップをΔＲ外（内）周方向に移動させる指令を送出する。
ステップＳ９：制御部は、ΔＲ光ピックアップが移動した後でのチルトセンサの出力値をＡ／Ｄ７を介して読取り、メモリに記録する。なお、メモリへの記録は回転数Ｎi に対応して記録する。
ステップＳ１０：制御部は、光ピックアップが最外（内）周位置に達するまでステップＳ８およびＳ９を実行し、最外（内）周位置に達したときステップＳ１１に移る。なお光ピックアップを移動させるΔＲなる値は、光ピックアップのアドレスおよびアドレス間隔と対応させて予め決められる。
ステップＳ１１：制御部は、次の回転数を指定するためにｉ＝ｉ＋１をセットし、ステップＳ１２に移る。
ステップＳ１２：ｉがｉmax であるか否かを判定し、判定がＮＯならばステップＳ２に移ってステップＳ２〜Ｓ１２を繰返す。
ステップＳ１８：再生可能と判定された回転数ＮX に設定する。
ステップＳ１９：制御部は、再生装置よりシーク指令が転送されたか否かを判定する。シーク指令が転送されるとステップＳ２１に移る。
ステップＳ２１：制御部は、シーク指令と共に転送されたシーク先位置に対応するチルトセンサの出力値をメモリより読出し、ステップＳ２２に移る。なお出力値の読出しは現在回転している回転数ＤX に対するチルト値を読出す。
ステップＳ２２：チルト値を算出する。
ステップＳ２５：チルト機構５の制御動作を開始させる。
ステップＳ２６：ステップS２６のチルト量は算出量に等しくなったか？での判定がＹＥＳの場合はステップＳ２９に移る。
ステップＳ２９：制御部は、チルト機構に動作停止を指令する。
ステップＳ３０：シーク終了信号が転送される。
ステップＳ３２：チルト機構に指令してチルト機構の動作を開始し、ステップＳ１９にもどり、シーク先でのデータの再生が行われる。
　
なる、ステップが行われ、
　
　予め設定した複数の回転数の全てに対するチルトセンサ出力値をメモリに記録させて、再生動作時にディスクを回転し、メモリに記録されている動作回転数に対するチルトセンサ出力値を読出してチルト補正を行わせるか、または、例えばステップＳ１１でｉ＝ｉ＋４とメモリに記録させ、ステップＳ２１での回転数Ｎi に対するシーク先のチルトセンサ出力値がメモリに記録されていない場合は、メモリに記録されている回転数Ｎi の前後の回転数より内挿してシーク先のチルトセンサ出力値を読出してチルト補正を行わせる、
　
装置。」
　
　
３．対比  
　  
　本願補正発明と引用発明とを対比する。  
　  
（１）引用発明の「光ディスクに記録されている情報を光ピックアップを用いて読出し、記録されている情報を再生する装置」は、本願補正発明の「光ディスク装置」に相当する。
　
（２）引用発明は、その動作から、光ディスクの半径方向の複数の位置のそれぞれにおいて、複数の回転数に対するチルトセンサ出力置をメモリに記録させ、再生動作時には、光ディスクの半径方向の位置及び動作回転数に対応するチルトセンサ出力値を読み出してチルト補正を行うものといえ、チルト補正を行う際には、チルトセンサ出力値を読み出してチルト補正を行っていることから、チルトセンサ出力値からチルト補正量を求めることは明らかであって、引用発明も、本願補正発明の「所定の回転数で回転する光ディスクの任意の位置において、チルト補正量を検出するチルト補正量検出手段」を有するものである。
　
（３）引用発明の「ステップＳ１８：再生可能と判定された回転数ＮX に設定する。
ステップＳ１９：制御部は、再生装置よりシーク指令が転送されたか否かを判定する。シーク指令が転送されるとステップＳ２１に移る。
ステップＳ２１：制御部は、シーク指令と共に転送されたシーク先位置に対応するチルトセンサの出力値をメモリより読出し、ステップＳ２２に移る。なお出力値の読出しは現在回転している回転数ＤX に対するチルト値を読出す。
ステップＳ２２：チルト値を算出する。
ステップＳ２５：チルト機構５の制御動作を開始させる。
ステップＳ２６：ステップS２６のチルト量は算出量に等しくなったか？での判定がＹＥＳの場合はステップＳ２９に移る。
ステップＳ２９：制御部は、チルト機構に動作停止を指令する。
ステップＳ３０：シーク終了信号が転送される。
ステップＳ３２：チルト機構に指令してチルト機構の動作を開始し、ステップＳ１９にもどり、シーク先でのデータの再生が行われる。」ことは、
　光ディスクの回転数が、再生可能回転数であるときに、メモリに記録されたその回転数に対応するチルト値に基づいて、チルト補正を行うことものであるから、引用発明も本願補正発明の「前記光ディスクの回転数が前記所定の回転数であるときに、該チルト補正量検出手段によって検出されたチルト補正量に基づいてチルト補正を行う、チルト補正手段を備えた」ものである。
　
　すると、本願補正発明と引用発明とは、次の＜一致点＞及び＜相違点＞を有する。  
　  
＜一致点＞  
　「所定の回転数で回転する光ディスクの任意の位置において、チルト補正量を検出するチルト補正量検出手段と、
　前記光ディスクの回転数が前記所定の回転数であるときに、該チルト補正量検出手段によって検出されたチルト補正量に基づいてチルト補正を行う、チルト補正手段と、を備えた光ディスク装置。」 
　 
　
＜相違点＞  
　
　本願補正発明は、「前記チルト補正を行う位置において回転数が変化したときに、予め設定された回転数の変化によるチルト補正量の変化量に基づいて、チルト補正量を再補正するチルト補正手段」を有するのに対し、引用発明は、チルト補正を行う位置において回転数が変化した場合について特定がない点。
　
　
４．判断  
　  
＜相違点＞について  
　光ディスクの記録、再生動作中にディスク回転数が変化した場合においても、チルト制御することは、例えば、特開２００３−２１７１５３号公報（速度切り替えがある場合でも正確なチルト制御を実現できるようにした点（段落【０１０７】）、記録もしくは再生動作中にディスク回転数が変化した場合、チルト制御する点（段落【０１１４】）参照）に記載されているように周知であるから、チルト補正がなされている位置においてディスクの回転数が変化した場合であっても、回転数に応じたチルト補正を行うことは、当業者が適宜なし得る事項である。
　また、引用発明も「予め設定した複数の回転数の全てに対するチルトセンサ出力値をメモリに記録させて、再生動作時にディスクを回転し、メモリに記録されている動作回転数に対するチルトセンサ出力値を読出してチルト補正を行わせるか、または、例えばステップＳ１１でｉ＝ｉ＋４とメモリに記録させ、ステップＳ２１での回転数Ｎi に対するシーク先のチルトセンサ出力値がメモリに記録されていない場合は、メモリに記録されている回転数Ｎi の前後の回転数より内挿してシーク先のチルトセンサ出力値を読出してチルト補正を行わせる」ものであって、チルト補正がなされている位置において回転数が変化した場合に、その回転数に適合したチルト補正を行うために、回転数が変化する前のチルト値に対して、回転数が変化した後のチルト値との差、すなわち変化分を考慮して、回転数が変化した後のチルト値に補正することは、当業者が適宜なし得る事項であるから、引用発明において、本願補正発明のように「前記チルト補正を行う位置において回転数が変化したときに、予め設定された回転数の変化によるチルト補正量の変化量に基づいて、チルト補正量を再補正する」ことに格別の困難性を有しない。
　
　そして、上記相違点を総合的に判断しても、本願発明が奏する効果は引用例及び周知技術から当業者が十分に予測できたものであって格別なものではなく、本願補正発明は、引用例に記載された発明及び周知技術に基づいて当業者が容易に発明をすることができたものである。  
　
　
５．本件補正についてのむすび  
　以上のとおり、本願補正発明は、特許法第２９条第２項の規定により、特許出願の際独立して特許を受けることができないものであるから、本件補正は、平成１８年法律第５５号改正附則第３条第１項によりなお従前の例によるとされる同法による改正前の特許法第１７条の２第５項で準用する同法第１２６条第５項の規定に違反するものであり、同法第１５９条第１項で読み替えて準用する同法第５３条第１項の規定により却下すべきものである。  
　  
第３　本願発明について  
　  
１．本願発明  
　  
　平成２１年１１月２７日付けの手続補正は上記のとおり却下されたので、本願の請求項２に係る発明（以下、「本願発明」という。）は、平成２１年６月２３日付けの手続補正で補正された特許請求の範囲、即ち、上記「第２　１．」に本件補正前の請求項２として記載したとおりのものである。  
　
２．引用例  
　  
　原査定の拒絶の理由で引用された引用例及びその記載事項は、上記「第２　２．」に記載したとおりである。  
　　
３．対比・判断  
　  
　本願発明は、上記「第２［理由］」で検討した本願補正発明から、「検出されたチルト補正量に基づいて」について、「チルト補正量検出手段によって」なる限定を削除して「該検出されたチルト補正量に基づいて」とし、「回転数が変化したときに、」について、「前記チルト補正を行う位置において」との限定を削除し、また、「チルト補正を行うとともに、」について「と」を削除して、発明の特定事項を実質的に変更するものではない、「チルト補正を行うともに、」としたものである。 
　  
　そうすると、本願発明の特定事項を全て含み、更に他の特定事項を付加したものに相当する本願補正発明が前記「第２〔理由〕３．　４．」に示したとおり、引用例に記載された発明及び周知技術に基づいて、当業者が容易に発明をすることができたものであるから、本願発明も、同様の理由により、引用例に記載された発明及び周知技術に基づいて当業者が容易に発明をすることができたものである。  
　  
４．むすび  
　  
　以上のとおり、本願の請求項２に係る発明は、特許法第２９条第２項の規定により特許を受けることができないものであるから、その余の請求項に論及するまでもなく、本願は拒絶すべきものである。